(57)【要約】【課題】携帯型多機能無線充電用アタッチメントを提供する。【解決手段】携帯型多機能無線充電用アタッチメント１００は、本体１０及びケーブルコネクタ２０を備える。本体１０は、略円盤状を呈して収納槽１１が凹設されるとともに、充電用の誘導コイル１２が内部に配設される。ケーブルコネクタ２０は、前端にコネクタ２１を有し、後端が本体１０の収納槽１１内に枢着される。コネクタ２１は、誘導コイル１２と電気的に接続される。ケーブルコネクタ２０は、収納槽１１中に収納される際に折り畳まれる。携帯型電子機器を充電する際、収納槽１１からケーブルコネクタ２０を取り出し、充電する携帯型電子機器にコネクタ２０を接続して充電を行う。【選択図】図２
0003202250.tif 000002
【実用新案登録請求の範囲】
【請求項１】
本体及びケーブルコネクタを備えた携帯型多機能無線充電用アタッチメントであって、
前記本体は、略円盤状を呈して収納槽が凹設されるとともに、充電用の誘導コイルが内部に配設され、
前記ケーブルコネクタは、前端にコネクタを有し、後端が前記本体の前記収納槽内に枢着されるとともに、前記コネクタは、前記誘導コイルと電気的に接続され、
前記ケーブルコネクタは、前記収納槽中に収納される際に折り畳まれ、携帯型電子機器を充電する際、前記収納槽から前記ケーブルコネクタを取り出し、充電する携帯型電子機器に前記コネクタを接続して充電を行うことを特徴とする携帯型多機能無線充電用アタッチメント。
【請求項２】
前記ケーブルコネクタは、複数のプレートにより構成され、
前記複数のプレート間には、接続部が設けられ、
前記接続部は、前記プレートから延びた１対の接続アームであるか、前記接続アーム間に突設された接続ブロックであり、
前記接続ブロックは、互いに隣接した前記プレートの前記接続アーム間に設けられ、軸棒を介して前記接続アームが前記接続ブロックに枢着され、複数の前記プレートを互いに接続させて前記収納槽中に折り畳んで収納することを特徴とする請求項１に記載の携帯型多機能無線充電用アタッチメント。
【請求項３】
前記収納槽の２つの側壁には、凹槽がそれぞれ凹設されるとともに、
末端のプレートには、コネクタが設けられ、
前記プレートの左右両側には、前記凹槽に対応するバンプがそれぞれ突設され、
前記バンプは、前記凹槽に係合されることを特徴とする請求項１に記載の携帯型多機能無線充電用アタッチメント。
【請求項４】
前記本体は、外周に２つのホールが貫通され、前記ホールに接続する空間部が内部に形成され、
前記２つのホールが互いに連通し、前記ホールには、ワイヤーが挿通されることを特徴とする請求項１に記載の携帯型多機能無線充電用アタッチメント。
【請求項５】
前記本体の外周には、少なくとも１つのＵＳＢポートが形成されることを特徴とする請求項１に記載の携帯型多機能無線充電用アタッチメント。
【請求項６】
前記本体内には、フラッシュメモリードライブとして用いるメモリーカードが設けられることを特徴とする請求項１に記載の携帯型多機能無線充電用アタッチメント。
【考案の詳細な説明】
【技術分野】
【０００１】
本考案は、無線充電用アタッチメントに関し、特に、携帯型多機能無線充電用アタッチメントに関する。
【背景技術】
【０００２】
現代社会では、スマートフォン、タブレット型パソコン、スマートウォッチなどの携帯型電子機器が広く普及している。しかし前述したような携帯型電子機器を携行する際、外出先で携帯型電子機器のバッテリーが不足してしまうことが頻繁に起きた。例えば、スマートウォッチの場合、多くのユーザは携帯型電源及び充電コードを携行し、スマートウォッチのバッテリーが不足すると、充電コードにより携帯型電源とスマートフォンとを接続し、スマートフォンのバッテリーを充電するのが一般的である。しかしながらコーヒーショップ、レストランなどでプラグ受けを借りて充電する場合、プラグ受けとスマートフォンとを接続する充電コードに足を引っかけて転倒する者が現れたり、充電コードに引っ張られてスマートフォンが床に落下したりしてしまうという問題点があった。そのため上述の問題点を改善するために、従来の無線充電技術を応用し、多くのコーヒーショップ、レストランのテーブル上には、各座席前にワイヤレス充電プレートが準備されている。ユーザのスマートフォンに、ワイヤレス充電モジュールが内蔵されていない場合、スマートフォン上をカバーで覆う。このカバーは、ワイヤレス充電モジュールを有する。カバーは、スマートフォンの充電孔に対応したコネクタを有する。ユーザがスマートフォンにカバーを被せると、カバーのコネクタが充電孔に挿着され、スマートフォンをワイヤレス充電プレート上に置くと、カバーを介してスマートフォンを充電することができる上、カバーを保護カバーとしても使用することもできる。そのためユーザは容易に携行することができ、充電コードを用いて接続しなくても充電することができる。
【０００３】
上述した従来の無線充電モジュールを有するカバーは、ユーザが容易に充電することができるが、カバーには、１種類のタイプのスマートフォンしか取付けられず、異なるタイプのスマートフォン又はその他モバイル電子機器を取り付けてワイヤレス充電することはできなかった。また、カバーにスマートフォンを取付けると、スマートフォンの充電孔がカバーのコネクタにより場所が占拠され、ユーザが充電孔を使用する際、カバーを外さなければスマートフォンの充電孔を使用することはできなかった。そのため、ワイヤレス充電モジュールを有するカバーは実用的でなく、使用することが困難であるという欠点がある。
【考案の概要】
【考案が解決しようとする課題】
【０００４】
本考案の主な目的は、携帯型多機能無線充電用アタッチメントを提供することにある。
【課題を解決するための手段】
【０００５】
上記課題を解決するために、本考案の第１の形態によれば、本体及びケーブルコネクタを備えた携帯型多機能無線充電用アタッチメントであって、前記本体は、略円盤状を呈して収納槽が凹設されるとともに、充電用の誘導コイルが内部に配設され、前記ケーブルコネクタは、前端にコネクタを有し、後端が前記本体の前記収納槽内に枢着されるとともに、前記コネクタは、前記誘導コイルと電気的に接続され、前記ケーブルコネクタは、前記収納槽中に収納される際に折り畳まれ、携帯型電子機器を充電する際、前記収納槽から前記ケーブルコネクタを取り出し、充電する携帯型電子機器に前記コネクタを接続して充電を行うことを特徴とする携帯型多機能無線充電用アタッチメントが提供される。
【考案の効果】
【０００６】
本考案の携帯型多機能無線充電用アタッチメントは、ケーブルコネクタを折り畳んで収納槽中に収納することができるため、無線充電用アタッチメントを携行することが容易であり、ケーブルコネクタを折り曲げることができるため、コネクタを様々な高さの携帯型電子機器に接続し、コネクタに様々な種類、タイプの携帯型電子機器を接続させて無線充電を行うことができるため、実用的で使用及び携行が容易である。
【図面の簡単な説明】
【０００７】
【図１】本考案の一実施形態に係る携帯型多機能無線充電用アタッチメントを示す斜視図である。
【図２】本考案の一実施形態に係る携帯型多機能無線充電用アタッチメントのケーブルコネクタを収納槽から取り出したときの状態を示す斜視図である。
【図３】本考案の一実施形態に係る携帯型多機能無線充電用アタッチメントの使用状態の説明図である。
【図４】本考案の一実施形態に係る携帯型多機能無線充電用アタッチメントのケーブルコネクタを折り曲げて使用する説明図である。
【図５】本考案の一実施形態に係る携帯型多機能無線充電用アタッチメントをキーチェーンとして使用する説明図である。
【図６】本考案の一実施形態に係る携帯型多機能無線充電用アタッチメントをドーナツ状に形成した状態を示す斜視図である。
【図７】本考案の一実施形態に係る携帯型多機能無線充電用アタッチメントをハンバーガー状に形成した状態を示す斜視図である。
【考案を実施するための形態】
【０００８】
図１及び図２を参照する。図１は、本考案の一実施形態に係る携帯型多機能無線充電用アタッチメントを示す斜視図である。図２は、本考案の一実施形態に係る携帯型多機能無線充電用アタッチメントのケーブルコネクタを収納槽から取り出したときの状態を示す斜視図である。図１及び図２に示すように、本考案の一実施形態に係る携帯型多機能無線充電用アタッチメント１００は、少なくとも本体１０及びケーブルコネクタ２０から構成されてなる。
【０００９】
本体１０は、略円盤状を呈する。本体１０には、収納槽１１が凹設される。本体１０の内部には、充電用の誘導コイル１２が配設される。本実施形態の収納槽１１の２つの側壁には、凹槽１１１がそれぞれ凹設される。本体１０の外周には、２つのホール１３が貫通される。本体１０の内部には、ホール１３と接続する空間部１４が形成され、２つのホール１３は互いに連通する。ホール１３には、ワイヤーが挿通され、本体１０の外周には、少なくとも１つのＵＳＢポート１５が形成される。また、本体１０内には、フラッシュメモリードライブとして使用するメモリーカードが配設されてもよい。
【００１０】
ケーブルコネクタ２０は、前端にコネクタ２１を有し、後端が本体１０の収納槽１１内に枢着されるとともに、誘導コイル１２と電気的に接続される。本考案の一実施形態に係る携帯型多機能無線充電用アタッチメントのケーブルコネクタ２０は、複数のプレート２２により構成される。複数のプレート２２間には、接続部２２１が接続される。接続部２２１は、プレート２２から延設された１対の接続アームでもよいし、複数の接続アーム間に突設された接続ブロックでもよい。接続ブロックは、互いに隣接したプレート２２の接続アーム間に設けられ、軸棒２３を介して接続アームが接続ブロックに枢着され、複数のプレート２２を接続して収納槽１１中に折り畳んで収納する。また、末端に設けられたプレート２２は、コネクタ２１を有する。プレート２２の左右両側には、凹槽１１１に対応するバンプ２２２がそれぞれ突設される。バンプ２２２は、凹槽１１１と係合する。
【００１１】
図１及び図２と併せて図３を参照する。図３は、本考案の一実施形態に係る携帯型多機能無線充電用アタッチメントの使用状態の説明図である。図１〜図３に示すように、ユーザがワイヤレス充電プレート２００を利用して携帯型電子機器を充電する場合、スマートフォン３００を例にすると、ユーザがケーブルコネクタ２０を収納槽１１から取り出してコネクタ２１をスマートフォン３００の充電孔に接続した後、本体１０をワイヤレス充電プレート２００上に置く。図３を参照する。図３に示すように、本考案の一実施形態に係る携帯型多機能無線充電用アタッチメントをスマートフォン３００に接続してワイヤレス充電プレート２００上に置いてワイヤレス充電を行う際、誘導コイル１２によりワイヤレス充電プレート２００の電力を受電する。電力がケーブルコネクタ２０のコネクタ２１を介してスマートフォン３００へ送電されると、スマートフォン３００に給電され、充電が完了すると、ユーザは、ケーブルコネクタ２０を収納槽１１中に収納し、プレート２２間が枢着回転可能な軸棒２３を介して接続されているため、ケーブルコネクタ２０が折り畳まれて収納槽１１中に収納され、バンプ２２２と凹槽１１１とを係合し、ケーブルコネクタ２０を収納槽１１に収納すると、適宜収納することができて容易に落下することもない。図１を参照する。図１に示すように、ケーブルコネクタ２０を収納槽１１中に収納することにより、ケーブルコネクタ２０のプレート２２間に枢着した軸棒２３を介し、プレート２２を軸棒２３上に枢着回転させ、ケーブルコネクタ２０が収納状態において、折り畳んで収納槽１１中に収納する。無線充電用アタッチメントの携行利便性をさらに高めるために、携帯型電子機器を充電する際、ケーブルコネクタ２０を収納槽１１から取り出し、コネクタ２１と、充電する携帯型電子機器とを接続して充電を行う上、コネクタ２１が異なる種類、タイプの携帯型電子機器を接続してワイヤレス充電を行うことができるため、実用的で使用及び携行が容易であるという長所を有する。
【００１２】
図４を参照する。図４は、本考案の一実施形態に係る携帯型多機能無線充電用アタッチメントのケーブルコネクタを折り曲げて使用する説明図である。図１〜図３と併せて図４を参照する。図１〜図４に示すように、本考案の一実施形態に係る携帯型多機能無線充電用アタッチメントのケーブルコネクタ２０は、折り畳んで収納槽１１中に収納されるため、ケーブルコネクタ２０とスマートフォン３００との間に段差がある場合、ケーブルコネクタ２０を上方へ折り曲げるか下方へ折り曲げ、ユーザは、ケーブルコネクタ２０のコネクタ２１をスマートフォン３００に接続させることができる。図４を参照する。図４は、本考案の一実施形態に係る携帯型多機能無線充電用アタッチメントのケーブルコネクタを折り曲げて使用する説明図である。図４を参照する。図４は、本考案の一実施形態に係る携帯型多機能無線充電用アタッチメントのケーブルコネクタを折り曲げて使用する説明図である。図４に示すように、本考案の一実施形態に係る携帯型多機能無線充電用アタッチメントのケーブルコネクタ２０を下方へ折り曲げ、スマートフォン３００と接続することができるため、コネクタ２１の挿着位置が不適切であることにより損壊してしまうことを防ぐことができるため、利便性が高い。
【００１３】
図５を参照する。図５は、本考案の一実施形態に係る携帯型多機能無線充電用アタッチメントをキーチェーンとして使用する説明図である。図５に示すように、本考案の一実施形態に係る携帯型多機能無線充電用アタッチメントの本体１０の外周に形成されたホール１３にケーブルを挿通し、キーリングとして使用することもできるため、ユーザが携行するのに便利である。
【００１４】
図６及び図７を参照する。図６は、本考案の一実施形態に係る携帯型多機能無線充電用アタッチメントをドーナツ状に形成した状態を示す斜視図である。図７は、本考案の一実施形態に係る携帯型多機能無線充電用アタッチメントをハンバーガー状に形成した状態を示す斜視図である。本実施形態の本体１０の外形は、図６のドーナツ状、図７のハンバーガー状など異なる形状に形成してもよいし、ケーキ状又はマカロン状に形成し、外観の見た目を良くし、優れた美観にしてもよい。
【００１５】
また、本体１０の外周には、ＵＳＢを挿入するＵＳＢポート１５を形成し、本体１０内部にメモリーカードを配設し、複数の機能を得てもよい。
【符号の説明】
【００１６】
１０  本体
１１  収納槽
１２  誘導コイル
１３  ホール
１４  空間部
１５  ＵＳＢポート
２０  ケーブルコネクタ
２１  コネクタ
２２  プレート
２３  軸棒
１００  携帯型多機能無線充電用アタッチメント
１１１  凹槽
２００  ワイヤレス充電プレート
２２１  接続部
２２２  バンプ
３００  スマートフォン
【図１】
0003202250.tif 000003
【図２】
0003202250.tif 000004
【図３】
0003202250.tif 000005
【図４】
0003202250.tif 000006
【図５】
0003202250.tif 000007
【図６】
0003202250.tif 000008
【図７】
0003202250.tif 000009